(57)【特許請求の範囲】
【請求項１】
データ通信線に接続され、送信バッファー部と受信バッファー部を有するホームテレホンデータインターフェース装置であって、前記送信バッファー部は、出力トランジスタと、この出力トランジスタの出力に直列に接続された出力抵抗と、前記出力トランジスタのベースと回路グランドの間に設けられ、前記データ通信線から入力される入力信号によって前記出力トランジスタがオンしないようにオン電圧を高くするための電圧クリップ素子と、を備えたことを特徴とするホームテレホンデータインターフェース装置。
【請求項２】
前記送信バッファー部の前記出力トランジスタのコレクタと回路グランドの間に、前記出力トランジスタのベースと回路グランドの間に設けた前記電圧クリップ素子の電圧温度特性と同じ電圧温度特性を有する温度補償用電圧クリップ素子を設けた請求項１記載のホームテレホンデータインターフェース装置。
【請求項３】
データ通信線に接続され、送信バッファー部と受信バッファー部を有するホームテレホンデータインターフェース装置であって、前記送信バッファー部は、出力トランジスタと、この出力トランジスタの出力に直列に接続された出力抵抗と、前記出力トランジスタのベースと回路グランドの間にダイオードとを備え、前記出力トランジスタのオン電圧を高くして、前記データ通信線から入力される入力信号によって前記出力トランジスタがオンしないように構成したホームテレホンデータインターフェース装置。
【請求項４】
前記送信バッファー部の前記出力トランジスタのコレクタと回路グランドの間に、前記出力トランジスタのベースと回路グランドの間に設けた前記ダイオードの電圧温度特性と同じ電圧温度特性を有する温度補償用ダイオードを設けた請求項３記載のホームテレホンデータインターフェース装置。
【発明の詳細な説明】
【０００１】
【発明の属する技術分野】
本発明は、ホームテレホンのデータインターフェース装置に関する。
【０００２】
【従来の技術】
図５は従来のホームテレホンデータインターフェース装置の構成を示している。図５において、１はデータ通信ラインであり、通信トランス２を介して送信バッファー３および受信バッファー４に接続されている。データ送信時には、送信バッファー３から通信トランス２を介してデータ通信ライン１にデータが出力され、データ受信時には、データ通信ライン１から入力された信号が通信トランス２を介して受信バッファー４に入力される。データ送信時の出力インピーダンスとデータ入力時の入力インピーダンスとは、通信トランス２によって決定され、出力インピーダンスを下げ、入力インピーダンスを上げることによりデータ通信が可能となる。
【０００３】
【発明が解決しようとする課題】
しかしながら、上記従来のホームテレホンデータインターフェース装置では、出力インピーダンスをより低くするために通信トランスを調整すると、データ受信時に送信バッファーのインピーダンスが見えてくるため、入力インピーダンスが低下してしまうという問題があった。
【０００４】
本発明は、このような従来の問題を解決するものであり、より低い出力インピーダンスのデータ通信を可能としたホームテレホンデータインターフェース装置を提供することを目的とする。
【０００５】
【課題を解決するための手段】
本発明は、上記目的を達成するために、データ通信線に接続され、送信バッファー部と受信バッファー部を有するホームテレホンデータインターフェース装置において、送信バッファー部が、出力トランジスタと、この出力トランジスタの出力に直列に接続された出力抵抗と、出力トランジスタのベースと回路グランドの間に設けられ、データ通信線から入力される入力信号によって出力トランジスタがオンしないようにオン電圧を高くするための電圧クリップ素子またはダイオードとを備えたものであり、出力抵抗の値を小さくすることにより、データ出力時には出力インピーダンスを下げ、データ受信時には入力インピーダンスの低下を防止するようにしたものである。
【０００６】
本発明はまた、送信バッファー部の前記出力トランジスタのコレクタと回路グランドの間に、出力トランジスタのベースと回路グランドの間に設けたのと同じ電圧温度特性の電圧クリップ素子またはダイオードを設けてその温度補償をすることにより、温度によるばらつきを補正して高品質なデータ通信を可能としたものである。
【０００８】
【発明の実施の形態】
本発明の請求項１に記載の発明は、データ通信線に接続され、送信バッファー部と受信バッファー部を有するホームテレホンデータインターフェース装置において、送信バッファー部に、出力トランジスタと、この出力トランジスタの出力に直列に接続された出力抵抗と、出力トランジスタのベースと回路グランドの間に、データ通信線から入力される入力信号によって出力トランジスタがオンしないようにオン電圧を高くするための電圧クリップ素子とを設けたものであり、出力抵抗の値を小さくすることにより、データ出力時には出力インピーダンスを下げ、データ受信時には入力インピーダンスを低下させることなくデータ通信を行うことができるという作用を有する。
【０００９】
本発明の請求項２に記載の発明は、請求項１記載のホームテレホンデータインターフェース装置において、送信バッファー部の出力トランジスタのコレクタと回路グランドの間に、出力トランジスタのベースと回路グランドの間に設けた電圧クリップ素子の電圧温度特性と同じ電圧温度特性を有する温度補償用電圧クリップ素子を設けたものであり、温度によるばらつきを補正して高品質なデータ通信を行うことができるという作用を有する。
【００１０】
本発明の請求項３に記載の発明は、データ通信線に接続され、送信バッファー部と受信バッファー部を有するホームテレホンデータインターフェース装置において、送信バッファー部に、出力トランジスタと、この出力トランジスタの出力に直列に接続された出力抵抗と、出力トランジスタのベースと回路グランドの間にダイオードとを設け、出力トランジスタのオン電圧を高くして、データ通信線から入力される入力信号によって出力トランジスタがオンしないように構成したものであり、出力抵抗の値を小さくすることにより、データ出力時には出力インピーダンスを下げ、データ受信時には入力インピーダンスを低下させることなくデータ通信を行うことができるという作用を有する。
【００１１】
本発明の請求項４に記載の発明は、請求項３記載のホームテレホンデータインターフェース装置において、送信バッファー部の出力トランジスタのコレクタと回路グランドの間に、出力トランジスタのベースと回路グランドの間に設けたダイオードと同じ電圧温度特性の温度補償用ダイオードを設けたものであり、温度によるばらつきを補正して高品質なデータ通信を行うことができるという作用を有する。
【００１２】
（実施の形態１）
以下、本発明の実施の形態を図面を参照して説明する。図１は本発明の実施の形態１におけるホームテレホンデータインターフェース部の構成を示している。図１において、１０はホームテレホンデータインターフェース部、１１は送信バッファー部である。送信バッファー部１１は、出力抵抗１２および出力トランジスタ１３を有し、出力トランジスタ１３の入力段であるベースには、抵抗１４を介して電圧クリップ素子１５の一端部が接続され、出力トランジスタ１３のコレクタと電圧クリップ素子１５の他端部はグランドに接続されている。
【００１３】
上記のように構成された送信バッファー部１１において、出力インピーダンスをより下げるためには、出力抵抗１２をより小さくしなければならないが、入力インピーダンスが出力抵抗１２と出力トランジスタ１３を介してグランドが見えてくるため、出力抵抗１２をより小さくすることは、同時に入力インピーダンスを低下させてしまうことになる。そこで、出力トランジスタ１３の入力段に電圧クリップ素子１５を設けることにより、電圧クリップ素子１５の電圧分だけ出力トランジスタ１３のオン電圧が上がるので、入力信号が電圧クリップ素子１５の電圧より低い場合には、出力抵抗１２をより小さくしても、入力インピーダンスを低下させることがなく、より低い出力インピーダンスでデータ通信を行うことができる。
【００１４】
（実施の形態２）
図２は本発明の実施の形態２におけるホームテレホンデータインターフェース部の構成を示している。図２において、２１は送信バッファー部である。送信バッファー部２１は、出力抵抗２２および出力トランジスタ２３を有し、出力トランジスタ２３の入力段であるベースには、抵抗２４を介して電圧クリップ素子２５の一端部が接続され、出力トランジスタ２３の出力段であるコレクタには、温度補償用電圧クリップ素子２６の一端部が接続されている。電圧クリップ素子２５および２６の他端部はそれぞれグランドに接続されている。電圧クリップ素子２５と２６は同じ特性を有する。
【００１５】
上記のように構成された送信バッファー部２１において、出力トランジスタ２３の入力段に電圧クリップ素子２５を設けることにより、電圧クリップ素子２５の電圧分だけ出力トランジスタ２３のオン電圧が上がるので、入力信号が電圧クリップ素子２５の電圧より低い場合には、出力抵抗２２をより小さくしても、入力インピーダンスを低下させることはない。しかしながら、電圧クリップ素子２５の電圧に温度によるばらつきが生じると、出力トランジスタ２３のオン電圧もばらついてしまうので、出力トランジスタ２３の出力段に温度補償用電圧クリップ素子２６を設けることにより、出力トランジスタ２３の入力段の電圧クリップ素子２５の温度によるばらつきを補正することができ、高品質のデータ通信を行うことができる。
【００１６】
（実施の形態３）
図３は本発明の実施の形態１におけるホームテレホンデータインターフェース部の構成を示している。図３において、３１は送信バッファー部である。送信バッファー部３１は、出力抵抗３２および出力トランジスタ３３を有し、出力トランジスタ３３の入力段であるベースには、抵抗３４を介してダイオード３５の一端部が接続され、出力トランジスタ３３のコレクタとダイオード３５の他端部はグランドに接続されている。
【００１７】
上記のように構成された送信バッファー部３１において、出力インピーダンスをより下げるためには、出力抵抗３２をより小さくしなければならないが、入力インピーダンスが出力抵抗３２と出力トランジスタ３３を介してグランドが見えてくるため、出力抵抗３２をより小さくすることは、同時に入力インピーダンスを低下させてしまうことになる。そこで、出力トランジスタ３３の入力段にダイオード３５を設けることにより、ダイオード３５の電圧分だけ出力トランジスタ３３のオン電圧が上がるので、入力信号がダイオード３５の電圧より低い場合には、出力抵抗３２をより小さくしても、入力インピーダンスを低下させることがなく、より低い出力インピーダンスでデータ通信を行うことができる。
【００１８】
（実施の形態４）
図４は本発明の実施の形態４におけるホームテレホンデータインターフェース部の構成を示している。図４において、４１は送信バッファー部である。送信バッファー部４１は、出力抵抗４２および出力トランジスタ４３を有し、出力トランジスタ４３の入力段であるベースには、抵抗４４を介してダイオード４５の一端部が接続され、出力トランジスタ４３の出力段であるコレクタには、温度補償用ダイオード４６の一端部が接続されている。ダイオード４５および４６の他端部はそれぞれグランドに接続されている。ダイオード４５と４６は同じ特性を有する。
【００１９】
上記のように構成された送信バッファー部４１において、出力トランジスタ４３の入力段にダイオード４５を設けることにより、ダイオード４５の電圧分だけ出力トランジスタ４３のオン電圧が上がるので、入力信号がダイオード４５の電圧より低い場合には、出力抵抗４２をより小さくしても、入力インピーダンスを低下させることはない。しかしながら、ダイオード４５の電圧に温度によるばらつきが生じると、出力トランジスタ４３のオン電圧もばらついてしまうので、出力トランジスタ４３の出力段に温度補償用ダイオード４６を設けることにより、出力トランジスタ４３の入力段のダイオード４５の温度によるばらつきを補正することができ、高品質のデータ通信を行うことができる。
【００２０】
【発明の効果】
本発明は、上記実施の形態から明らかなように、送信バッファー部の出力トランジスタの入力段に電圧クリップ素子またはダイオードを設けるとともに、出力抵抗の値を小さくすることにより、データ出力時には出力インピーダンスを下げ、データ受信時には入力インピーダンスの低下を防止することができ、より低い出力インピーダンスでデータ通信を行うことができる。また、送信バッファー部の出力トランジスタの出力段に、入力段に設けたのと同じ特性の電圧クリップ素子またはダイオードを設けてその温度補償することにより、より低い出力インピーダンスでかつ高品質なデータ通信を行うことができる。
【図面の簡単な説明】
【図１】本発明の実施の形態１におけるホームテレホンデータインターフェース部の構成を示す回路図
【図２】本発明の実施の形態２におけるホームテレホンデータインターフェース部の送信バッファー部の構成を示す回路図
【図３】本発明の実施の形態３におけるホームテレホンデータインターフェース部の送信バッファー部の構成を示す回路図
【図４】本発明の実施の形態４におけるホームテレホンデータインターフェース部の送信バッファー部の構成を示す回路図
【図５】従来のホームテレホンデータインターフェース装置の構成を示す回路図
【符号の説明】
１１、２１、３１、４１  送信バッファー部
１２、２２、３２、４２  出力抵抗
１３、２３、３３、４３  出力トランジスタ
１４、２４、３４、４４  抵抗
１５、２５、電圧クリップ素子
２６  温度補償用電圧クリップ素子
３５、４５  ダイオード
４６  温度補償用ダイオード
【図１】
0003752557.tif 000002
【図２】
0003752557.tif 000003
【図３】
0003752557.tif 000004
【図４】
0003752557.tif 000005
【図５】
0003752557.tif 000006